(57)【要約】【課題】  光軸整列が容易である小型の双方向光送受信モジュールを提供する。【解決手段】  ＴＯ缶構造を有する第１の光信号を生成する光送信器（３３０）を第１の収容部（３１１）に、ＴＯ缶構造を有する第２の光信号を検出する光受信器（３４０）を第３の収容部（３１３）に、光ファイバーフェルール（３５０）を第２の収容部（３１２）に夫々収容し、第４の収容部（３１４）には、前記第１の光信号を前記第２の収容部に出力すると共に、前記第２の光信号を前記第１の光信号の光経路に対して所定の角度に反射させるフィルター（３７０）と、このフィルターに反射された前記第２の光信号を前記光受信器に向けて反射させるミラー（３６０）と、を支持するブロック（３２０）を収容する構成とする。【選択図】  図３
2005227777.tif 000002
【特許請求の範囲】
【請求項１】
双方向光送受信モジュールであって、
ＴＯ缶構造を有し、第１の光信号を生成する光送信器と、
ＴＯ缶構造を有し、第２の光信号を検出する光受信器と、
前記光送信器を収容する第１の収容部と、前記第１の収容部に対向するように配置された第２の収容部と、前記第１及び第２の収容部の下方側に配置され、前記光受信器を収容する第３の収容部と、前記第３の収容部に対向するように配置された第４の収容部と、これら第１ないし第４の収容部を互いに連通させるホールと、を有するハウジングと、
前記第２の収容部に収容され、前記第２の光信号を当該双方向光送受信モジュールの内部に入力すると共に、前記第１の光信号を当該双方向光送受信モジュールの外部に出力するための光ファイバーを有する光ファイバーフェルールと、
前記第４の収容部に収容され、前記光送信器が生成した第１の光信号を前記第２の収容部に出力すると共に、前記光ファイバーを介して入力された前記第２の光信号を前記第１の光信号の光経路に対して所定の角度に反射させるフィルターと、このフィルターに反射された前記第２の光信号を前記光受信器に向けて反射させるミラーと、を支持するブロックと、
を含むことを特徴とする双方向光送受信モジュール。
【請求項２】
前記光ファイバーフェルールは、
前記光ファイバーを支持して前記第２の収容部にこの光ファイバーを固定するスタブ(stub)をさらに含むことを特徴とする請求項１記載の双方向光送受信モジュール。
【請求項３】
前記フィルターは、波長分割多重フィルターを備えていることを特徴とする請求項１記載の双方向光送受信モジュール。
【請求項４】
前記ブロックは、
前記第１及び第２の光信号を予定の経路で進行させるための、前記第１及び第２の光信号の経路上にそれぞれ配置されたガイドをさらに含むことを特徴とする請求項１記載の双方向光送受信モジュール。
【請求項５】
前記光送信器と前記フィルターとの間で前記ハウジングに固定支持され、前記第１の光信号を視準化して前記フィルターに向かって出力する第１のレンズ系と、
前記光ファイバーフェルールと前記フィルターとの間で前記ハウジングに固定支持され、前記第１の光信号を前記光ファイバーの一端に集光すると共に、前記光ファイバーを介して入力された前記第２の光信号を視準化して前記フィルターに向けて出力する第２のレンズ系と、
前記光受信器と前記ミラーとの間で前記ハウジングに固定支持され、前記第２の光信号を前記光受信器に集光する第３のレンズ系と、
をさらに含むことを特徴とする請求項１記載の双方向光送受信モジュール。
【請求項６】
双方向光送受信モジュールであって、
ＴＯ缶構造を有し、第１の光信号を生成する光送信器と、
ＴＯ缶構造を有し、第２の光信号を各波長に従って検出する少なくとも１つ以上の光受信器と、
前記光送信器を収容する第１の収容部と、前記第１の収容部に対向するように配置された第２の収容部と、前記第１及び第２の収容部の下方側に配置され、前記光受信器を各々が収容する第３の収容部と、前記第３の収容部に対向するように配置された第４の収容部と、これら第１ないし第４の収容部を互いに連通させるホールと、を有するハウジングと、
前記第２の収容部に収容され、前記第２の光信号を当該双方向光送受信モジュールの内部に入力すると共に、前記第１の光信号を当該双方向光送受信モジュールの外部に出力するための光ファイバーを有する光ファイバーフェルールと、
前記第４の収容部に収容され、前記光送信器が生成した第１の光信号を前記第２の収容部に出力すると共に、前記光ファイバーを介して入力された前記第２の光信号のうち予定とする波長の第２の光信号を前記第１の光信号の光経路に対して所定の角度に反射させるフィルターと、このフィルターに反射された前記第２の光信号を予定とする波長の前記光受信器に向けて反射させるミラーと、を支持する少なくとも１つ以上のブロックと、
を含むことを特徴とする双方向光送受信モジュール。
【請求項７】
前記光受信器にそれぞれに対応する少なくとも一つ以上のブロックを含むことを特徴とする請求項６記載の双方向光送受信モジュール。
【請求項８】
前記光送信器と前記フィルターとの間で前記ハウジングに固定支持され、前記第１の光信号を視準化して対応するフィルターに向かって出力する第１のレンズ系と、
前記光ファイバーフェルールと前記フィルターとの間で前記ハウジングに固定支持され、前記第１の光信号を前記光ファイバーの一端に集光すると共に、前記光ファイバーを介して入力された前記第２の光信号を視準化して対応するフィルターに向けて出力する第２のレンズ系と、
それぞれ対応する光受信器とミラーとの間で前記ハウジングに固定支持され、前記第２の光信号を対応する光受信器に集光する少なくとも１つ以上の第３のレンズ系と、
をさらに含むことを特徴とする請求項６記載の双方向光送受信モジュール。
【請求項９】
双方向光送受信モジュールであって、
第１及び第２の光信号が進行する光経路の上に配置された複数のホールを備えたハウジングと、
ＴＯ缶構造を有し、前記ハウジングに安着された前記第１の光信号を生成する光送信器と、
ＴＯ缶構造を有し、前記ハウジングに安着された前記第２の光信号を検出する光受信器と、
前記ハウジングに安着され、前記第２の光信号を当該双方向光送受信モジュールの内部に入力すると共に、前記第１の光信号を当該双方向光送受信モジュールの外部に出力するための光ファイバーを有する光ファイバーフェルールと、
前記ハウジングに安着され、前記光送信器が生成した第１の光信号を第２の収容部に出力すると共に、前記光ファイバーを介して入力された前記第２の光信号を前記第１の光信号の光経路に対して所定の角度に反射させるフィルターと、このフィルターに反射された前記第２の光信号を前記光受信器に向かって反射させるミラーと、を支持するブロックと、
を含むことを特徴とする双方向光送受信モジュール。
【請求項１０】
前記光ファイバーフェルールは、前記光ファイバーを支持するスタブ（stub）をさらに含むことを特徴とする請求項９記載の双方向光送受信モジュール。
【請求項１１】
前記フィルターは、波長分割多重フィルターを備えていることを特徴とする請求項９記載の双方向光送受信モジュール。
【請求項１２】
前記ブロックは、
前記第１及び第２の光信号を予定の経路で進行させるための、前記第１及び第２の光信号の経路上にそれぞれ配置されたガイドをさらに含むことを特徴とする請求項９記載の双方向光送受信モジュール。
【請求項１３】
前記光送信器と前記フィルターとの間で前記ハウジングに固定支持され、前記第１の光信号を視準化して前記フィルターに向かって出力する第１のレンズ系と、
前記光ファイバーフェルールと前記フィルターとの間で前記ハウジングに固定支持され、前記第１の光信号を前記光ファイバーの一端に集光すると共に、前記光ファイバーを介して入力された前記第２の光信号を視準化して前記フィルターに向かって出力する第２のレンズ系と、
前記光受信器と前記ミラーとの間で前記ハウジングに固定支持され、前記第２の光信号を前記光受信器に集光する第３のレンズ系と、
をさらに含むことを特徴とする請求項９記載の双方向光送受信モジュール。
【請求項１４】
前記第１ないし第３のレンズ系は、前記ハウジングに固定されることを特徴とする請求項１３記載の双方向光送受信モジュール。
【発明の詳細な説明】
【技術分野】
【０００１】
本発明は、双方向光送受信モジュールに関し、特に、ＴＯ缶構造を有する光送信器及び光受信器を備えた双方向光送受信モジュールに関する。
【背景技術】
【０００２】
双方向光送受信モジュールは、相互に異なる波長を有する光信号を送信及び受信を行なうための光学モジュールである。従来の双方向光送受信モジュールは、単一のハウジング又は単一の基板上に光送信器及び光受信器を据え付けたマウント構造を有する。
【０００３】
上述した双方向光送受信モジュールに設けられる光送信器及び光受信器は、バタフライ(Butterfly)構造又はＴＯ缶（Transistor-Outline-CAN）構造とすることができる。一般に、各々がＴＯ缶構造を有する光送信器及び光受信器を備えた双方向光送受信モジュールは製造コストが安く、そのため短距離通信等に広く使用することができる。
【０００４】
図１は、従来技術に従う双方向光送受信モジュールの構成を示す概略図である。図１を参照すると、従来の双方向光送受信モジュールは、ＴＯ缶構造を有し、第１の光信号を生成する光送信器１１０と、ＴＯ缶構造を有し、受信された第２の光信号を検出（受信）する光受信器１２０と、これら第１及び第２の光信号を入出力する光ファイバーフェルール１３０と、を含む構成である。さらに、前記双方向光送受信モジュールは、第１の光信号の光経路と第２の光信号の光経路を分割するフィルター１６０と、第１及び第２の光信号を視準化（collimate）又は集光する第１ないし第３のレンズ系１４０、１５０、及び１７０と、を含んでいる。
【０００５】
一般に、第１及び第２の光信号は、相互に異なる波長帯域を使用する。例えば、第１の光信号がＣ−バンド(C-band)を使用し、第２の光信号がＬ−バンド(L-band)を使用すると、第１及び第２の光信号の波長間隔は、略１７ｎｍとなり、その波長間隔が非常に狭い。そのため、第１の光信号の光経路と第２の光信号の光経路を分割するフィルター１６０は、第１の光信号の光経路に対して１０°未満の角度（θ）を有するように整列されなければならない。
【０００６】
このように、第１の光信号の波長帯域と第２の光信号の波長帯域との間隔が狭い場合には、フィルター１６０に反射された第２の光信号は、第１の光信号の光経路に対して非常に小さい角度となる。従って、双方向光送受信モジュールを構成するためには、第１及び第２の光信号の光経路を長く形成しなければならない。その結果、双方向光送受信モジュールの全体のボリュームがかさばり、装置が大型化するという問題がある。
【０００７】
図２は、従来技術に従う双方向光送受信モジュールの構成を示す概略図である。図２を参照すると、従来の双方向光送受信モジュールは、ＴＯ缶構造を有し、第１の光信号を生成する光送信器２１０と、ＴＯ缶構造を有し、第２の光信号を検出する光受信器２２０と、光ファイバーフェルール２３０と、フィルター２６０と、ミラー２８０と、第１及び第２の光信号を視準化又は集光する第１ないし第３のレンズ系２４０、２５０、及び２７０と、をハウジング２９０に設けて構成されている。さらに、前記光ファイバーフェルール２３０は、光ファイバー２３１及びスタブ（stub）２３２を備えている。
【０００８】
第１のレンズ系２４０は、光送信器２１０からの第１の光信号を視準化して光ファイバーフェルール２３０に出力する。第２のレンズ系２５０は、第１の光信号を光ファイバー２３１の一端に集光させる。また第２のレンズ系２５０は、第２の光信号を視準化してフィルター２６０に出力する。第３のレンズ系２７０は、第２の光信号を光受信器２２０に集光させる。
【０００９】
フィルター２６０は、光送信器２１０と光ファイバー２３１との間に配置され、光送信器２１０が生成した第１の光信号を光ファイバー２３１に出力する。また、フィルター２６０は、光ファイバー２３１を介して外部から入力された第２の光信号を第１の光信号の光経路に対して所定の角度を有するように反射させる。
【００１０】
ミラー２８０は、フィルター２６０に反射された第２の光信号を光受信器２２０に向けて反射させる。ミラー２８０及びフィルター２６０は、ハウジング２９０内にて光軸整列され、さらにフィルター２６０は、第１の光信号の光経路に対して所定の角度を有するように整列される。
【００１１】
しかしながら、フィルターの整列の誤差に基づいて、第２の光信号の反射角が大きく変化するという問題がある。さらに、単一のハウジング内に双方向光送受信モジュールの構成要素を集積して形成するので、所望の光軸整列を容易に調整することができない。また、光軸整列を行なう工程中に、光軸の誤整列が発生しやすいという問題がある。
【発明の開示】
【発明が解決しようとする課題】
【００１２】
本発明は、上記背景に鑑みてなされたものであり、その目的は、所望の光軸整列が容易である小型の双方向光送受信モジュールを提供することにある。
【課題を解決するための手段】
【００１３】
このような目的を達成するために、本発明に従う双方向光送受信モジュールは、ＴＯ缶構造を有し、第１の光信号を生成する光送信器と、ＴＯ缶構造を有し、第２の光信号を検出する光受信器と、前記光送信器を収容する第１の収容部と、前記第１の収容部に対向するように配置された第２の収容部と、前記第１及び第２の収容部の下方側に配置され、前記光受信器を収容する第３の収容部と、前記第３の収容部に対向するように配置された第４の収容部と、これら第１ないし第４の収容部を互いに連通させるホールと、を有するハウジングと、前記第２の収容部に収容され、前記第２の光信号を当該双方向光送受信モジュールの内部に入力すると共に、前記第１の光信号を当該双方向光送受信モジュールの外部に出力するための光ファイバーを有する光ファイバーフェルールと、前記第４の収容部に収容され、前記光送信器が生成した第１の光信号を前記第２の収容部に出力すると共に、前記光ファイバーを介して入力された前記第２の光信号を前記第１の光信号の光経路に対して所定の角度に反射させるフィルターと、このフィルターに反射された前記第２の光信号を前記光受信器に向けて反射させるミラーと、を支持するブロックと、を含むことを特徴とする。
【００１４】
また、本発明に従う双方向光送受信モジュールは、ＴＯ缶構造を有し、第１の光信号を生成する光送信器と、ＴＯ缶構造を有し、第２の光信号を各波長に従って検出する少なくとも１つ以上の光受信器と、前記光送信器を収容する第１の収容部と、前記第１の収容部に対向するように配置された第２の収容部と、前記第１及び第２の収容部の下方側に配置され、前記光受信器を各々が収容する第３の収容部と、前記第３の収容部に対向するように配置された第４の収容部と、これら第１ないし第４の収容部を互いに連通させるホールと、を有するハウジングと、前記第２の収容部に収容され、前記第２の光信号を当該双方向光送受信モジュールの内部に入力すると共に、前記第１の光信号を当該双方向光送受信モジュールの外部に出力するための光ファイバーを有する光ファイバーフェルールと、前記第４の収容部に収容され、前記光送信器が生成した第１の光信号を前記第２の収容部に出力すると共に、前記光ファイバーを介して入力された前記第２の光信号のうち予定とする波長の第２の光信号を前記第１の光信号の光経路に対して所定の角度に反射させるフィルターと、このフィルターに反射された前記第２の光信号を予定とする波長の前記光受信器に向けて反射させるミラーと、を支持する少なくとも１つ以上のブロックと、を含むことを特徴とする。
【００１５】
さらに、本発明に従う双方向光送受信モジュールは、第１及び第２の光信号が進行する光経路の上に配置された複数のホールを備えたハウジングと、ＴＯ缶構造を有し、前記ハウジングに安着された前記第１の光信号を生成する光送信器と、ＴＯ缶構造を有し、前記ハウジングに安着された前記第２の光信号を検出する光受信器と、前記ハウジングに安着され、前記第２の光信号を当該双方向光送受信モジュールの内部に入力すると共に、前記第１の光信号を当該双方向光送受信モジュールの外部に出力するための光ファイバーを有する光ファイバーフェルールと、前記ハウジングに安着され、前記光送信器が生成した第１の光信号を第２の収容部に出力すると共に、前記光ファイバーを介して入力された前記第２の光信号を前記第１の光信号の光経路に対して所定の角度に反射させるフィルターと、このフィルターに反射された前記第２の光信号を前記光受信器に向かって反射させるミラーと、を支持するブロックと、を含むことを特徴とする。
【発明の効果】
【００１６】
本発明は、フィルター及びミラーをブロックに設けた構成とし、このブロックを光ファイバーフェルールが設けられたハウジングにいわばユニットとして組み込むことにより、フィルター及びミラーの光軸整列が容易になる。また、フィルター及びミラーをハウジングとは別途の構成を有するブロックに設けたことにより、例えば光軸整列に異常が発生したときの部品の取り替え及び各部品の検査を容易に行なうことが可能となる。
【発明を実施するための最良の形態】
【００１７】
以下、本発明の望ましい実施形態を、添付図面を参照して詳細に説明する。本発明の説明において、関連する公知機能、或いは構成についての具体的な説明が本発明の要旨を不要にぼかすものと判断される場合には、その詳細な説明を省略する。
【００１８】
図３は、本発明の第１の実施形態に従う双方向光送受信モジュールの構成を示す概略図（縦断面図）である。図３を参照すると、双方向光送受信モジュールは、例えば概ね矩形状に形成されたモジュールの外装体をなすハウジング３１０と、ＴＯ缶構造を有し、第１の光信号３０１を生成する光送信器３３０と、ＴＯ缶構造を有し、第２の光信号３０２を検出する光受信器３４０と、第１の光信号３０１を外部に出力すると共に、第２の光信号３０２を外部から入力する光ファイバーフェルール３５０と、ブロック３２０と、第１ないし第３のレンズ系３０３、３０４、及び３０５と、を含む構成である。
【００１９】
レンズ系３０３、３０４及び３０５は、単一のレンズ又は複数のレンズを組み合せて構成されており、光信号に対し予定とする視準化又は集光化が可能なように配置されている。
【００２０】
ハウジング３１０は、例えば当該ハウジング３１０の一側面に配置され、光送信器３３０を収容する第１の収容部（収容領域）３１１と、この第１の収容部３１１に対向するようにハウジング３１０の他側面に配置され、前記光ファイバーフェルール３５０を収容する第２の収容部（収容領域）３１２と、これら第１の収容部３１１と第２の収容部３１２との間に位置してハウジング３１０の下部側に配置され、光受信器３４０を収容する第３の収容部（収容領域）３１３と、この第３の収容部３１３に対向するようにハウジング３１０の上部側に配置され、前記ブロック３２０が収容される第４の収容部３１４と、これら第１ないし第４の収容部３１１、３１２、３１３、及び３１４を互いに連通させる開口部をなすホール３１１ａ、３１２a、及び３１３aを備えている。
【００２１】
即ち、ブロック３２０は、例えば前記ハウジング３１０に着脱可能なように設けられており、詳しくは後述するように、予め光軸整列されたフィルターやミラーを備えたことにより、ハウジング３１０内部の第１の光信号３０１及び第２の光信号３０２の光経路を予定とする経路に設定（規制）するための光経路規制部として構成されている
【００２２】
ホール３１１ａ、３１２ａ、３１３ａは、第１及び第２の光信号３０１、３０２が入出力される光経路上に配置されている。従って、第１及び第２の光信号３０１、３０２は、詳しくは後述する所定の経路（方向）でハウジング３１０の内部を通過して第１ないし第４の収容部３１１、３１２、３１３、及び３１４に入出力される。
【００２３】
光ファイバーフェルール３５０は、第２の収容部３１２に収容され、第２の光信号３０２を当該双方向光送受信モジュール内に入力（導入）すると共に、光送信器３３０が生成した第１の光信号３０１を当該双方向光送受信モジュールの外部に出力（照射）する光ファイバー３５１と、この光ファイバー３５１を支持して、第２の収容部３１２に光ファイバー３５１を固定するスタブ（stub）３５２と、を含む構成である。
【００２４】
ここで、図４は、前記図３に示したブロック３２０を示す斜視図である。図４を参照すると、ブロック３２０は、ハウジング３１０に形成された前記第４の収容部３１４に収容され、光送信器３３０からの第１の光信号３０１を第２の収容部３１２に向けて出力すると共に、光ファイバー３５１を介して外部から入力された第２の光信号３０２を第１の光信号３０１の光経路に対して所定の角度に反射させる。
【００２５】
また、ミラー３６０は、例えば光信号の波長をフィルタリングすることによってその角度（設置角度）が決定され、例えば０〜４５°の範囲で選択した角度に設定されている。ミラー３６０は、フィルター３７０に反射された第２の光信号３０２を第３の収容部３１３に収容された光受信器３４０に向けて反射させる。
【００２６】
前記フィルター３７０及びミラー３６０を備えたブロック３２０は、フィルター３７０とミラー３６０とが例えば予め光軸整列された状態で、ハウジング３１０の第４の収容部３１４に実装される。上述したように、ブロック３２０は、ハウジング３１０にいわばユニットとして組み込まれることにより、フィルター３７０とミラー３６０との光軸整列及びテスト（例えば、所望の整列精度が確保されているかの検査）を容易にすることができる。さらに、例えば装置に異常が生じて光軸整列が変ってしまうことがあったとしても、ブロック３２０を交換するだけで済むので、交換作業が簡単である点で得策である。
【００２７】
さらに、ブロック３２０は、第１及び第２の光信号３０１、３０２を予定とする経路で進行させるための誘導するための、第１及び第２の光信号３０１、３０２の光経路上にそれぞれ配置されたガイド３２１ａ、３２１ｂを有する構成とすることもできる。本例においては、ガイド３２１ａ、３２１ｂは、光経路に沿って形成された誘導路で形成されている。
【００２８】
また、フィルター３７０は、波長分割多重フィルター(ＷＤＭ Filter)を使用することができる。この場合、第１及び第２の光信号３０１、３０２が入力される入射面が第１の光信号３０１の光経路に対して所定の角度を有するようにブロック３２０上に光軸整列されて設けることができる。
【００２９】
第１のレンズ系３０３は、光送信器３３０とフィルター３７０との間にハウジング３１０に固定支持されて設けられており、光送信器３３０からの第１の光信号３０１を視準化してフィルター３７０に出力する。
【００３０】
第２のレンズ系３０４は、光ファイバーフェルール３５０とフィルター３７０との間にハウジング３１０に固定支持されて設けられており、前記フィルター３７０を通過した第１の光信号３０１を光ファイバー３５１の一端に集光する一方で、光ファイバー３５１から受け取った第２の光信号３０２を視準化してフィルター３７０に出力する。
【００３１】
第３のレンズ系３０５は、光受信器３４０とミラー３６０との間にハウジング３１０に固定支持されて設けられており、前記ミラー３６０に反射された第２の光信号３０２を光受信器３４０に集光する。これら第１ないし第３のレンズ系３０３、３０４、及び３０５のそれぞれは、支持部材によりハウジング３１０に安着される。
【００３２】
上述の実施形態によれば、ＴＯ缶構造の光送信器３３０及び光受信器３４０を備えた双方向光送受信モジュールにおいて、フィルター３７０及びミラー３６０をブロック３２０に設けた構成とし、このブロック３２０を光ファイバーフェルール３５０が設けられたハウジング３１０にいわばユニットとして例えば着脱可能に組み込むことにより、フィルター３７０及びミラー３６０の光軸整列が容易な小型の双方向光送受信モジュールを実現することができる。
【００３３】
図５は、本発明の第２の実施形態に従う双方向光送受信モジュールの構成を示す概略図（縦断面図）である。図５を参照すると、双方向光送受信モジュールは、例えば概ね矩形状に形成されたモジュール外装体をなすハウジング５２０と、ＴＯ缶構造を有し、第１の光信号を生成する光送信器４２０と、ＴＯ缶構造を有し、相互に異なる波長を有する複数のチャンネルを構成する第２の光信号のうち、各々が予定とする波長のチャンネルを検出する少なくとも１つ以上の光受信器４３０−１、４３０−２と、例えば光受信器の数と対応する少なくとも１つ以上のブロック５１０−１、５１０−２と、を含む構成である。
【００３４】
すなわち、本発明に従う第２の実施形態は、第２の光信号が相互に異なる波長を有する複数のチャンネルを構成する場合に、対応する波長に基づいて、第２の光信号の各チャンネルを検出することができる双方向光送受信モジュールを実現する。
【００３５】
ハウジング５２０は、光送信器４２０を収容する第１の収容部５２１と、光ファイバーフェルール４５０を収容する第２の収容部５２２と、光受信器４３０−１、４３０−２を収容する第３の収容部５２３−１、５２３−２と、ブロック５１０−１、５１０−２を収容する第４の収容部５２４と、これら第１ないし第４の収容部５２１、５２２、５２３−１、５２３−２及び５２４を互いに連通させるホール５２１ａ、５２２ａ、５２３ａ及び５２３ｂを備えている。
【００３６】
第１の収容部５２１は、ハウジング５２０の一側面に配置され、光送信器４２０を収容する。第２の収容部５２２は、第１の収容部５２１に対向するようにハウジング５２０の他側面に配置される。第３の収容部５２３−１、５２３−２の各々は、ハウジング５２０の下部側に配置され、光受信器４３０−１、４３０−２のうち該当する光受信器をそれぞれ収容する。第４の収容部５２４は、第３の収容部５２３−１、５２３−２に対向するようにハウジング５２０の上部側に配置されている。第４の収容部５２４は、光受信器４３０−１、４３０−２の各々と対応するようにブロック５１０−１、５１０−２を収容する。
【００３７】
光受信器４３０−１、４３０−２の各々は、ＴＯ缶構造を有し、第２の光信号の有するチャンネルのうち、対応する波長のチャンネル（つまり各々に予め設定された検出波長のチャンネル）を検出する。
【００３８】
ブロック５１０−１、５１０−２は、ハウジング５２０の第４の収容部５２４に収容されており、フィルター５１１−１、５１１−２と、ミラー５１２−１、５１２−２と、を支持する。フィルター５１１−１、５１１−２の各々は、光送信器４２０が生成した第１の光信号を第２の収容部５２２に出力し、光ファイバー４５１を介して入力された第２の光信号の中の該当するチャンネルを第１の光信号の光経路に対して所定の角度に反射させる。
【００３９】
また、ミラー５１１−１、５１１−２は、例えば光信号の波長をフィルタリングすることによってその角度（設置角度）決定され、例えば０〜４５°の範囲で選択した角度に設定されている。ミラー３６０は、フィルター５１１−１、５１１−２の夫々から反射された各チャンネルの第２の光信号を対応する光受信器４３０−１、４３０−２に向けて反射させる。
【００４０】
ミラー５１１−１、５１１−２の各々は、フィルター５１１−１、５１１−２のうち対応するフィルターから反射された第２の光信号を光受信器４３０−１、４３０−２のうちの対応する光受信器に向けて反射させる。本実施形態に従う双方向光送受信器モジュールは、第２の光信号を形成する相互に異なる波長のチャンネル数に対応する少なくとも１つ以上のブロックと、これらのブロックにそれぞれ対応する複数の光受信器と、を含む構造でも適用することができる。
【００４１】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と均等なものにより定められるべきである。
【図面の簡単な説明】
【００４２】
【図１】従来技術に従う双方向光送受信モジュールの構成を示す概略図である。
【図２】従来技術に従う他の双方向光送受信モジュールの構成を示す概略図である。
【図３】本発明の第１の実施形態形態に従う双方向光送受信モジュールの構成を示す概略図である。
【図４】上記双方向光送受信モジュールの備えたブロックを示す斜視図である。
【図５】本発明の第２の実施形態形態に従う双方向光送受信モジュールの構成を示す概略図である。
【符号の説明】
【００４３】
３１０  ハウジング
３１１  第１の収容部
３１２  第２の収容部
３１３  第３の収容部
３１４  第４の収容部
３１１ａ，３１２ａ，３１３ａ  ホール
３２０  ブロック
３３０  光送信器
３４０  光受信器
３５０  光ファイバーフェルール
３５１  光ファイバー
３６０  ミラー
３７０  フィルター
【図１】
2005227777.tif 000003
【図２】
2005227777.tif 000004
【図３】
2005227777.tif 000005
【図４】
2005227777.tif 000006
【図５】
2005227777.tif 000007